(57)【要約】【課題】ハードディスクに記録した映像を再生する際のビート妨害を抑制する。【解決手段】テレビジョン放送波を受信して選局復調する選局復調回路２と、映像情報を記録するハードディスク２４と、選局復調回路２の出力映像信号の同期信号を検出し、映像有効期間以外の第１期間を設定するタイミング生成回路２２と、ハードディスク２４に記憶された情報を記憶するＩＣカード２３に記録された情報を再生する再生回路２６と、再生回路２６の動作を第１期間内のみに限定させる制御部２１と、選局復調回路２および再生回路２６の出力映像信号を表示するディスプレイ２０とを有する。【選択図】  図１
2004187088.tif 000002
【特許請求の範囲】
【請求項１】
映像情報を含む放送波を受信して選局復調する選局復調回路と、
前記映像情報を記録する第１記録媒体と、
該第１の記録媒体と関連付けされ該第１の記録媒体に記録された映像情報を記録する第２の記録媒体中の映像情報を再生する再生回路と
を有する映像信号処理回路。
【請求項２】
さらに、選択された受信チャネルに対してビート妨害を生じさせないクロック周波数で前記再生回路を動作させる制御部を備える
請求項１に記載の映像信号処理装置。
【請求項３】
さらに、前記第２記録媒体に記憶された映像情報を、映像有効期間以外の第１期間にのみ前記第２記録媒体に記憶された映像情報を再生するように前記再生回路を制御する制御部を備える
請求項１又は２に記載の映像信号処理装置。
【請求項４】
さらに、前記選局復調回路の出力映像信号の同期信号を検出し、前記第１期間を設定するタイミング生成回路を含む
請求項３に記載の映像信号処理装置。
【請求項５】
さらに、前記再生回路から出力された断続的な映像情報をバッファリングして出力する画像メモリ回路を有することを特徴とする
請求項４に記載の映像信号処理装置。
【請求項６】
請求項１から５までのいずれかに記載の映像信号処理装置に加えて、
さらに、前記選局復調回路の出力信号と前記再生回路からの出力信号とを重畳させて表示する表示制御部と、
該表示制御部により制御された出力信号に基づき映像を表示するディスプレイとを具備する映像装置。
【請求項７】
前記ディスプレイ装置が、液晶ディスプレイ装置であり、
さらに、該液晶ディスプレイ装置を駆動する駆動回路を動作させるクロック信号の高調波成分の周波数が、放送チャネルの周波数帯域と重ならないように、放送チャネル毎のシステムクロック選択を行うシステムクロック選択手段を有していることを特徴とする請求項６に記載の映像装置。
【請求項８】
テレビジョン放送波を受信して選局復調する選局復調回路と、
映像情報を記録する第１記録媒体と、
前記選局復調回路の出力映像信号の同期信号を検出し、映像有効期間以外の第１期間を設定するタイミング生成回路と、
前記第１記録媒体と関連付けされ、該第１記憶媒体に記録された情報を記録する第２記録媒体中の映像情報を再生する再生回路と、
前記再生回路の動作を前記第１期間内のみに限定させるよう制御する制御部と前記選局復調回路および前記再生回路の出力映像信号を表示する液晶ディスプレイと
を有する液晶テレビジョン受像器。
【請求項９】
テレビジョン放送波を受信して選局復調する選局復調回路と、
映像情報を記録する第１記録媒体と、
前記選局復調回路の出力映像信号の同期信号を検出し、映像有効期間以外の第１期間を設定するタイミング生成回路と、
前記第１記録媒体と関連付けされ、該第１記憶媒体に記録された情報を記録する第２記録媒体中の映像情報を再生する再生回路と、
前記第２記録媒体に記憶された映像情報を、映像有効期間以外の第１期間にのみ前記第２記録媒体に記憶された映像情報を再生するように前記再生回路を制御する制御部と
前記選局復調回路および前記再生回路の出力映像信号を表示する液晶ディスプレイと
を有する液晶テレビジョン受像器。
【請求項１０】
さらに、前記第２記録媒体とのインターフェイス部を有する請求項８又は９に記載の液晶テレビジョン受像器。
【発明の詳細な説明】
【０００１】
【発明の属する技術分野】
本発明は、液晶テレビジョン受像器に関するものであり、特に、ハードディスクなどの大容量記録装置に記録された映像信号を再生する際に生じるクロックの高調波妨害抑止に関するものである。
【０００２】
【従来の技術】
表示部に液晶ディスプレイを用いたテレビジョン受像機として液晶テレビジョン受像機がある。液晶テレビジョン受像機の中には、付加機能としてＩＣカードスロットを具備している装置がある。ＩＣカードスロットは、ＪＰＥＧ等の画像圧縮技術を用いて記録されたＩＣカード（不揮発性メモリなど）を用いて静止画の再生などを行うことを１つの目的として設けられている。ＩＣカード再生機能を付加機能として有する液晶テレビジョン受像機について、図７を参照して説明する。図７に示すように、液晶テレビジョン受像機３１には、テレビジョン放送を液晶表示ユニット３２に表示できるように、選局復調回路３３及びクロック発生回路３４を設け、さらに、ＩＣカード４９内に記憶された再生映像も表示できるように、ＩＣカードスロット５０及び映像データ再生回路５１が付加的に設けられている。
【０００３】
液晶表示ユニット３２は、例えば、６８０×４８０画素の液晶ディスプレイ３５と、デジタルデータとして与えられるＲＧＢ信号をアナログ信号に変換するＤＡ変換器３６と、水平スタートパルスと垂直スタートパルス及びシフトクロックを受けて液晶ディスプレイ３５を２次元走査する液晶駆動回路３７と、を一体化させたユニットである。選局復調回路３３は、受信アンテナ３８により捕捉されたテレビジョン放送を、タッチキー或いはリモコンを介して中央演算装置（ＣＰＵ）３９に与えられた選局指令に応じて選局復調する回路であり、一般のＣＲＴテレビジョン受像機に用いられている回路と同様の回路が用いられ、複合映像信号をＲＧＢ信号と水平及び垂直の各同期信号ＨＳＹ、ＶＳＹとに分けて出力する。
【０００４】
映像データ再生回路５１は、タッチキー或いはリモートコントロール装置（リモコン）を用いて、ＣＰＵ３９に与えられたカード内容の再生指令に応じてカードスロット５０に挿入されたＩＣカード４９内のデータを読み出す。データは、ＪＰＥＧ等のデータ圧縮手段を用いた所定のフォーマットを有している場合には、そのデータを復号・再生するとともに、水平同期信号ＨＳＹ及び垂直同期信号ＶＳＹのそれぞれを出力する。Ｙ（輝度）、Ｃｂ及びＣｒ（色度）のコンポーネント信号に復号された映像データ再生回路５１からの出力信号は、ＲＧＢ変換回路５２とＤＡ変換回路５３とにより、アナログＲＧＢ信号に変換される。
【０００５】
ところで、液晶ディスプレイ３５を駆動するためには、一般のＣＲＴテレビジョン受像機とは異なる回路が必要である。例えば、２６２．５本の走査線からなる１フィールドの画面２枚で１画面を構成する飛び越し走査から５２５本の走査線で１枚の画面を構成する順次走査に変換するための走査変換回路４０と、ドットマトリクスを構成している各画素に対し駆動タイミングを指定するための各種パルスやクロックを供給するクロック発生回路３４とは、液晶テレビジョン受像機３１に特有の回路である。走査変換回路４０は、スイッチ回路５５が出力するＲＧＢ信号をデジタルデータに変換するＡＤ変換器４１の出力を内蔵するラインメモリに送り込み、書き込み速度の２倍の速度で読み出すことにより走査線密度を倍密度変換し、インタレース信号をノンインタレース信号に変換する。
【０００６】
ノンインタレース信号に変換されたＲＧＢ信号は、液晶表示ユニット３２内のＤＡ変換器３６に出力されてアナログ信号に変換された後に、液晶駆動回路３７により点順次指定された画素に供給される。クロック発生回路３４は、選局復調回路３３から送り込まれた水平同期信号ＨＳＹ（周波数ｆｈ）を位相ロックドループ（以下「ＰＬＬ」と称する。）４２により２Ｎ逓倍し、周波数２ｆｓ（＝２Ｎｆｈ）のシステムクロックを生成し、このシステムクロックに準じて水平スタートパルスや垂直スタートパルス或いはシフトクロックを生成する。ＰＬＬ４２は、周知のように、位相比較器４３と低域濾波回路（ＬＰＦ）４４と電圧制御発振器４５と１／２Ｎ分周器４６とにより一巡するループを構成したものであり、電圧制御発振器４５からは分周器４６により１／２Ｎ分周される前の周波数２ｆｓのシステムクロックと、その１／２の周波数ｆｓをもったクロックと、が得られる。
【０００７】
周波数ｆｓのクロックは、ＡＤ変換器４１の動作クロックと走査変換回路４０の書き込みクロックとに用いられ、一方、また、周波数２ｆｓのシステムクロックは、走査変換回路４０の読み出しクロックと、ＤＡ変換器３６の動作クロックと、液晶駆動回路３７のためのシフトクロックと、に用いられる。
【０００８】
尚、液晶駆動回路３７のためのシフトクロックは、実際には、ＰＬＬ４２内の分周器４６とこれにループ外接続されたデコーダ４７をスルーしたシステムクロックが用いられる。また、液晶ディスプレイ３５の水平方向の画素列を水平同期信号ＨＳＹから数えて何個目のシフトクロックから駆動するかを決める水平スタートパルスは、ＰＬＬ４２内の分周器４６が内蔵するカウンタの計数出力をデコーダ４７が解読し、カウンタの計数値が予め定めた一定値に達したことをデコーダ４７が論理判断することで与えられる。
【０００９】
さらにまた、液晶ディスプレイ３５の垂直方向の画素列を垂直同期信号ＶＳＹから数えて何個目のシフトクロックから駆動するかを決める垂直スタートパルスは、ＰＬＬ４２内の分周器４６の出力を垂直同期信号ＶＳＹによりリセットされる分周器４８内のカウンタにおいて計数し、このカウンタの計数値が予め定めた一定値に達したことをデコーダ４７において論理判断することで与えられる。
【００１０】
ところで、映像データ再生回路５１は、カード再生専用のシステムクロック発生回路５４の出力クロックにより動作する。カード用システムクロックの周波数としては、映像データ再生回路５１のＩＴＵ−Ｒ勧告ＢＴ６０１に準拠したＹ、Ｃｂ、Ｃｒコンポーネント信号への復号を考慮すると、１３．５ＭＨｚのＭ／Ｎ倍の周波数を用いるのが、システムを簡便なものとすることができるため有利であり、ここでは例えば１３５ＭＨｚとする。映像データ再生回路５１の出力信号並びにＲＧＢ変換回路５２とＤＡ変換回路５３との動作周波数は、１３．５ＭＨｚとする。
【００１１】
従って、従来のＩＣカード再生機能が付加された液晶テレビジョン受像機において、テレビジョン放送を受信中にＩＣカード再生を同時に行うと、カード再生用システムクロックの整数倍の周波数として発生する高調波成分が選局復調回路に飛び込み、ビート妨害を引き起こしてしまうといった問題があった。そのため、テレビジョン受信とＩＣカード再生は同時に行わず、テレビジョン受信モードとＩＣカード再生モードというように分け、テレビジョン受信モードでは、ＣＰＵ３９はＩＣカード再生動作を停止し、スイッチ回路５５を切替え、選局復調回路３３出力のＲＧＢ信号ならびに水平及び垂直の各同期信号ＨＳＹ、ＶＳＹを選択し、一方ＩＣカード再生モードでは、ＣＰＵ３９は選局復調動作を停止し、スイッチ回路５５を切替え、映像データ再生回路５１ならびに  ＤＡ変換回路５３出力のＲＧＢ信号ならびに水平及び垂直の各同期信号ＨＳＹ、ＶＳＹを選択するなどの方法により対応していた。
【００１２】
またテレビジョン放送を受信中にＩＣカード再生を同時に行うと、カード再生用システムクロックの整数倍の周波数として発生する高調波成分が選局復調回路に飛び込み、ビート妨害を引き起こしてしまう問題点があるが、これに対する対策として、選局チャンネルに応じてカード再生用システムクロック周波数を切替える方法が考えられいぇおる。選局チャンネルに応じてシステムクロック周波数を切替える方法として、例えば特許文献１に記載の液晶テレビジョン受像機が提案されている。特許文献１に記載のシステムクロック周波数を切替える方法について図８を参照して以下に説明する。
【００１３】
図８に示す液晶テレビジョン受像機６１は、クロック発生回路３４内のＰＬＬ４２の逓倍比２Ｎを選局チャンネルに連動して切替え、システムクロックの高調波成分がビート妨害を引き起こさないよう構成するとともに、システムクロックを変更しても画像が常に液晶ディスプレイ３５の中央部分に表示されるように構成したものである。ビート妨害を抑止するビート妨害抑止手段としては、ここでは、テレビジョン放送波のチャンネル毎に選定された逓倍比２Ｎを格納した逓倍比メモリ６２と、選局チャンネルの指定を受けて逓倍比メモリ６２から当該チャンネルに対応する逓倍比２Ｎを読み出し、ＰＬＬ４２内の分周器４６に設定するＣＰＵ６３とが用いられる。
【００１４】
ところで、システムクロックを選定する場合に、ここではオーバスキャン歪率を５％以下に抑えるなどの条件を課している。すなわち、倍密度変換された水平同期周波数２ｆｈ（＝３１．４６ｋＨｚ）について、液晶ディスプレイ３５の水平方向の６８０画素に対応する映像表示期間は、２６．４μｓとなる。このうち、水平方向の有効表示期間を６４０画素とした場合、映像表示期間に占める有効表示期間の比で表されるオーバスキャン率Ｅは、６４０／２６．４・２ｆｓで表され、オーバスキャン歪率は（１−Ｅ）／２で表される。従って、オーバスキャン歪率を５％以下に抑えるためには逓倍比すなわち分周器４６の分周比２Ｎは、８５６×２以下でなければならない。
【００１５】
また、逓倍比（分周比）２Ｎを８５６×２以下とした場合、システムクロックの第４高調波から第３０高調波が放送波帯域に侵入しており、ビート妨害を防ぐためには、高調波が放送波帯域を侵さない複数のシステムクロックを選択しなければならないことが分かる。そこで、オーバスキャン歪率が５％以下で、どのチャンネルについてもどちらかの高調波成分が放送波帯域からはずれる２個のシステムクロックとして、例えば逓倍比８０８×２と８３２×２を選んだ場合、逓倍比８０８×２ではシステムクロックの周波数２ｆｓが２５．４２ＭＨｚとなるため、第２、５、９、１５、１９、２３、２７、３２、３６、４０、４４、４９、５３、５７、６１の各チャンネルに高調波が侵入する。また、逓倍比８３２×２ではシステムクロックの周波数２ｆｓが２６．１７ＭＨｚであるため、第３、６、１０、１３、１７、２１、２６、３０、３５、３９、４３、４８、５２、５６、６１の各チャンネルに高調波が侵入する。従って、いずれの逓倍比においても高調波の侵入を受ける第６１チャンネルを除いて、システムクロックを少なくとも２通りに切り替えることにより、ビート妨害の回避が可能である。尚、第６１チャンネルについては、例えば逓倍比８００×２を用いることでビート妨害の排除が可能である。
【００１６】
逓倍比メモリ６２に対し、選局チャンネルをアドレスとしてビート妨害を招かない３種類の逓倍比２Ｎが格納されており、選局マイコン６４が選局指令を受けたときに、液晶テレビジョン受像機６１全体を統括制御するＣＰＵ６３が、逓倍比メモリ６２から選局指定されたチャンネルに対応する逓倍比２Ｎを読み出し、これをＰＬＬ内の分周器４６に設定する。すなわち、例えば第３チャンネルが選局されたときは、逓倍比８０８×２が選択され、また第２チャンネルが選局されたときは、逓倍比８３２×２が選択され、さらに第６１チャンネルが選局されたときは、逓倍比８００×２が選択される。
このように、クロックを選択することで、選局チャンネルの帯域内に高調波成分が飛び込むことのないシステムクロックを得ることができる。
【００１７】
【特許文献１】
実開平５−６５１８４号公報（図１）
【００１８】
【発明が解決しようとする課題】
上記従来のＩＣカード再生機能が付加された液晶テレビジョン受像機は、視聴者がその液晶テレビジョン受像機にＩＣカードを挿入し、テレビジョン放送を受信中にＩＣカードの視聴を目的に再生を試みると、カード再生用システムクロックの整数倍の周波数として発生する高調波成分が選局復調回路に飛び込み、ビート妨害を引き起こしてしまうという問題を抱えていた。そのビート妨害を回避するため、テレビジョン受信モードとＩＣカード再生モードというように別々に分けてディスプレイに表示することで対応していたが、当初の目的であるテレビジョン放送を受信中にＩＣカードの視聴を行うということに対応できない。
【００１９】
またＰＬＬにより生成されるシステムクロックに付随して発生する数次の高調波を、あらかじめ試算により求め、これらの高調波がテレビジョン放送波の６ＭＨｚの占有帯域を避けるようなシステムクロックを選び、選局された放送チャンネルに合わせて選択されるよう構成し、システムクロックの高調波成分が選局復調回路に飛び込むことで生ずるビート妨害を抑制する方法では、選局チャンネルを視聴者が変えたとき、クロックの周波数もその選局チャンネルに合わせて選択し直す必要がある。一般的に、クロック周波数が変わるとＲＧＢ変換回路やＤＡ変換回路はもとより映像データ再生回路の内部動作の処理設定も変更しなければならない。言い換えれば、ＩＣカード再生中に選局チャンネルを変えると、映像データ再生回路のクロック周波数が変わるため、ＩＣカード再生映像が乱れるどころか、カード再生動作自体凍結してしまう恐れがある。したがって、選局チャンネルの帯域内に高調波成分が飛び込むことのないクロックを選択する方法では、ビート妨害を受けることなくテレビジョン放送を受信中にＩＣカードの視聴を行うということができない。発明者らは、この点に関して、後述のように先の出願において１つの解決方法を提案している。
【００２０】
ところで、近年、ハードディスクやＤＶＤ−ＲＡＭのような大容量記憶媒体に映像データを記憶させ、これらの記憶媒体からリアルタイムに放送を再生する方法が盛んに用いられている。この方法によれば、大容量記憶媒体に一旦取り込んだ映像データをリアルタイムに再生するため、例えば、視聴者が見逃した場面を再度大容量記憶媒体からもう一度再生させることができるため（一般的に追っかけ再生とも呼ばれている）非常に便利である。この場合に、ハードディスクやＤＶＤ−ＲＡＭのような大容量ディスクから再生する際、データ読出し時にビート妨害を発生さするが、これをリアルタイムで再生をしようとすると、シークタイム等の時間的制約により、ビート妨害をおこさないデータ読出しの制御は困難であるという問題があった。
【００２１】
本発明は、大容量記憶媒体に一旦取り込んだ映像データをリアルタイムに再生する際におけるビート妨害を低減することを目的とする。さらに、テレビジョン映像をスムーズに再生しつつＩＣカードによる再生処理を行える技術を提供することにある。
【００２２】
【課題を解決するための手段】
本発明の一観点によれば、映像情報を含む放送波を受信して選局復調する選局復調回路と、前記映像情報を記録する第１記録媒体と、該第１の記録媒体と関連付けされ該第１の記録媒体に記録された映像情報を記録する第２の記録媒体中の映像情報を再生する再生回路とを有する映像信号処理回路が提供される。さらに、選択された受信チャネルに対してビート妨害を生じさせないクロック周波数で前記再生回路を動作させる制御部を備えるのが好ましい。
【００２３】
上記映像信号処理装置によれば、第１の記録媒体中に記憶された情報を格納できる第２の記録媒体を設け、第２の記録媒体を動作させるクロック周波数を制御可能としたことにより、第１の記憶媒体からの情報再生に伴うビート妨害を、第２の記録媒体の再生に伴うクロックの高調波成分に置き換えることができる。
【００２４】
さらに、前記第２記録媒体に記憶された映像情報を、映像有効期間以外の第１期間にのみ前記第２記録媒体に記憶された映像情報を再生するように前記再生回路を制御する制御部を備えるのが好ましい。
【００２５】
上記映像信号処理装置によれば、映像有効期間以外の期間に第２の記録媒体からの情報再生を行うため、第２の記録媒体再生時にその高調波が選局復調回路に飛び込むことにより生じるビート妨害を抑制することができる。
【００２６】
【発明の実施の形態】
以下、本発明の映像処理装置の一実施形態について図１から図６までを参照しつつ説明する。図１は本発明の一実施の形態による映像信号処理装置の概略を示す回路構成図であり、図２は図１におけるタイミング生成回路の水平期間の信号波形図であり、図３は図１におけるタイミング生成回路の垂直期間の信号波形図であり、図４は図１における回路各部の信号波形図であり、図５は図１におけるスケーリングならびに倍速変換回路各部の信号波形図であり、図６は選局チャンネルと高調波妨害の関係を示す図である。
【００２７】
図１に示すように、本実施の形態による映像信号処理回路は、受信アンテナ１と、選局復調回路２と、ＬＰＦ／同期分離回路４と位相比較／ＶＣＯ回路５とカウンタ６とを含んで構成される位相ロックドループ（以下ＰＬＬ）３と、ＡＤ変換器７と、ＹＣ分離回路８と、色復調回路９と、ＲＧＢ変換回路１０と、スケーリング回路１１と、倍速変換回路１２と、ＯＳＤ回路１３と、液晶用システムクロック発生器１４（ＬＣＫ１）／１５（ＬＣＫ２）と、同期生成回路１６と、ＤＡ変換器１８と液晶駆動回路１９と液晶ディスプレイ２０とで構成されるディスプレイ装置１７と、ＣＰＵ２１と、タイミング生成回路２２と、ＩＣカード２３と、ハードディスクドライブ（以下「ＨＤＤ」と称する。）２４と、カード用システムクロック発生器２５と、映像データ再生回路２６と、画像メモリ回路２７と、ＲＧＢ変換回路２８と、を含んで構成されている。
【００２８】
本発明の一実施の形態による映像処理装置を説明するにあたり、まず、テレビジョン放送をディスプレイに表示する動作について説明する。受信アンテナ１が捕捉したテレビジョン放送を、タッチキー或いはリモコンを通してＣＰＵ２１に与えられた選局指示に応じて選局復調する選局復調回路２は、複合映像信号を出力する。ＡＤ変換器７、ＹＣ分離回路８、色復調回路９およびＲＧＢ変換回路１０は、ＮＴＳＣまたはＰＡＬ方式のアナログビデオ信号である選局復調回路２から出力された複合映像信号をＩＴＵ−Ｒ勧告ＢＴ６０１に準拠したＲＧＢのデジタルデータに以下のようにデコードする。ＡＤ変換のサンプリングクロックはＩＴＵ−Ｒ勧告ＢＴ６０１に準拠させるため１３．５ＭＨｚまたはその逓倍でかつ低い周波数が後段のシステムを簡便なものとすることができるが、アンチエイリアシングフィルタの簡便化からみると周波数が高い方が望ましく、ここでは２７ＭＨｚとしている。ＰＬＬ３では、ＡＤ変換器７の動作のための２７ＭＨｚのサンプリングクロックとＹＣ分離回路８、色復調回路９およびＲＧＢ変換回路の動作のための１３．５ＭＨｚのデコードクロックを発生させる。
【００２９】
ＰＬＬ３は、広く知られているような構成であり、ＬＰＦ／同期分離回路４で複合映像から水平同期信号（周波数ｆｈ）を分離し、その水平同期信号を基準として位相比較／ＶＣＯ回路５とカウンタ６からなる一巡ループを構成し、カウンタ６から２７ＭＨｚのサンプリングクロックとその１／２の１３．５ＭＨｚのデコードクロックを生成する。
【００３０】
ＡＤ変換器７において２７ＭＨｚにサンプリングされた複合映像信号は、ＹＣ分離回路８内のデシメーションフィルタで１３．５ＭＨｚにダウンサンプルされた後、Ｙ信号とＣ信号とに分離される。Ｃ信号は、色復調回路９でＣｂ信号とＣｒ信号に復調され、ＲＧＢ変換回路１０でＹ信号とともにＲＧＢ信号に変換される。
【００３１】
ＲＧＢ信号は、図４（Ａ）に示すタイミングであり、その後段に配置されたスケーリング回路１１内のインタ−ポレーションフィルタにより有効映像期間のデータをアップサンプルされ、さらに倍速変換回路１２内のラインメモリにより書き込み速度の２倍の速度で読み出すことにより走査線を倍速変換し、インタレース信号をノンインタレース信号に変換する。同期生成回路１６では、カウンタ６から供給される入力複合同期信号に同期する水平および垂直基準信号と液晶用システムクロック発生回路１４もしくは１５から供給される液晶用システムクロックに準じて、液晶駆動回路１９の動作のための水平スタートパルス、垂直スタートパルスあるいはシフトクロックを生成する。ノンインタレース信号に変換されたＲＧＢ信号は、ディスプレイ装置１７内のＤＡ変換器１８によりアナログ信号に変換されたのち、液晶駆動回路１９により点順次指定された画素に供給される。
【００３２】
ここで、スケーリング回路１１、倍速変換回路１２およびＤＡ変換器１８と液晶駆動回路１９を含むディスプレイ装置１７の動作クロックである液晶用システムクロックは、そのクロックの高調波成分が受信選局チャンネルに対してビート妨害をおこさないように選定する必要がある。以下にその説明を行う。ビート妨害を抑止する方法は、クロック高調波成分の周波数が全放送チャンネルの周波数帯域で互いに重複することがない２つの周波数ｆｓ１、ｆｓ２のクロックを発生する２個の液晶用システムクロック発生回路１４、１５を準備し、テレビジョン放送波のチャンネル毎のシステムクロック選択データを内蔵メモリに格納したＣＰＵ２１が選局チャンネルの指定を受けて液晶用システムクロック発生回路１４、１５の出力を切替える。液晶用システムクロック発生回路１４、１５の出力クロック周波数ｆｓ１、ｆｓ２は、そのクロック高調波成分の周波数が全放送チャンネルの周波数帯域で互いに重複することがないように選定しているため、受信選局チャンネルに対してビート妨害を起こさない方のクロックをＣＰＵ２１が自動的に選択を行うことによりビート妨害を抑止することができる。
【００３３】
液晶用システムクロック周波数の選定は、液晶ディスプレイ２０の表示サイズと、それに合わせたスケーリング回路１１の変換比率にも関係する。ここでは、液晶ディスプレイ２０に高画質ＤＶＤ映像等を考慮して１６：９ワイドＶＧＡパネル（８５４×４８０）を用いて説明する。図４（Ａ）にも示したように、ＲＧＢ信号は有効映像データが７２０サンプルであり、スケーリング回路１１内のインタ−ポレーションフィルタにより、液晶ディスプレイ２０の水平サンプル数８５４にアップサンプルさせる。このときのスケーリング回路１１での水平変換比率は３２／２７であり、図５（Ａ）のように隣接データに重み付けをして変換データを得る。このままでは、まだインタレース信号であるため、倍速変換回路１２内のラインメモリにより書き込み速度の２倍の速度で読み出し、さらに図５（Ｂ）のように隣接データに重み付けを行う倍速変換回路１２内のインターポレーションフィルタを通すことにより、走査線を倍速変換しノンインタレース信号に変換するため、有効走査線数も２４０本から４８０本に変換される。このような処理により、１６：９ワイドＶＧＡパネル（８５４×４８０）にあわせたデータを得ることができる。
【００３４】
ここで、液晶用システムクロック周波数の選定について説明する。システムクロック発生回路１４の出力クロック周波数ｆｓ１は、図４（Ｂ）に示すように２８．８８８ＭＨｚを選定する。倍速変換回路１２の出力信号の水平走査線数は、入力複合映像信号の水平走査線数の２倍であり、水平走査期間Ｔｈ１は、Ｔｈ１＝Ｔｈ／２＝３１．７７８μｓｅｃであり、各フィールド２６２．５本であった水平走査線は５２５本である。
【００３５】
ここで水平走査期間のサンプル数に関しては、有効映像期間のサンプル数は前述したように８５４サンプルである。有効映像期間以外のサンプル数の設定は、液晶駆動回路１９の仕様にも左右されるが、ここでは６４サンプルとした。その結果、垂直周波数を５９．９４Ｈｚとすると、システムクロック発生回路１４の出力クロック周波数ｆｓ１は、ｆｓ１＝（８５４＋６４）×５２５×５９．９４＝２８．８８７ＭＨｚが選定されることになる。一方液晶用システムクロック発生回路１５の出力クロック周波数ｆｓ２は、図４（Ｃ）に示すように３０．９０２ＭＨｚを選定した。これは、ｆｓ１のときと同様に、ｆｓ２＝（８５４＋１２８）×５２５×５９．９４＝３０．９０２ＭＨｚで求められるが、有効映像期間以外のサンプル数の設定を１２８サンプルとした。これは、図６のＬＣＫ１欄の×印で示すように、クロック周波数ｆｓ１の高調波が、放送チャンネルの４、９、１６、２１、２６、３０、３５、４０、４５、５０、５５、５９チャンネルの周波数帯域と重複している。一方、３０．９０２ＭＨｚとしたクロック周波数ｆｓ２の高調波は、図４のＬＣＫ２欄の×印で示すように、放送チャンネルの１、６、１２、１７、２２、２７、３２、３７、４２、４７、５３、５８チャンネルの周波数帯域と重複している。図６のＬＣＫ１欄の×印とＬＣＫ２欄の×印を比較すると、重複しているチャンネルが存在しないことがわかる。ここでは、２８．８８７ＭＨｚと３０．９０２ＭＨｚの２つの周波数を選択したが、有効映像期間以外のサンプル数の設定や液晶ディスプレイの表示サイズにより他の組み合わせも多数考えられ、上記のように互いの高調波が重複するチャンネルが存在しない組み合わせならば良い。
【００３６】
以上のように、液晶用システムクロックに付随して発生する数次の高調波を、予め試算により求め、これらの高調波がテレビジョン放送波の各チャンネル６ＭＨｚの周波数帯域で重複しない複数のシステムクロックを選定し、選局された放送チャンネルに合わせて選択されるよう構成することで、スケーリング回路１１、倍速変換回路１２およびＤＡ変換器１８と液晶駆動回路１９を含むディスプレイ装置１７の動作クロックである液晶用システムクロックの高調波成分が選局復調回路２に飛び込むことで生ずるビート妨害を低減できる。
【００３７】
次に大容量記憶媒体（ここではＨＤＤ２４）に記録された映像信号を再生する際、一旦ＩＣカードに映像データを格納して、ＩＣカードの再生信号としてディスプレイに表示する動作について説明する。タッチキー又はリモコンなどにより、ＨＤＤ２４に既に記録されているコンテンツのうち、必要とする任意の１若しくは複数のコンテンツを、予めＩＣカード２３内にコピーしておく（例えばタッチキーあるいはリモコンを通してデータコピー指示を与えられたＣＰＵ２１は、ＨＤＤ２４からＩＣカード２３に、与えられた指示に応じてコピー指令を出す）。予めＩＣカード２３にコピーした映像データに対して、カード再生指示（例えばある１つの静止画を再生するという指示）を与えられたＣＰＵ２１は、与えられた指示に応じて映像データ再生回路２６に再生指令を出す。
【００３８】
指令を受けた映像データ再生回路２６は、ＩＣカード２３から指定された位置のデータを読み出し、ＪＰＥＧ方式等のデータ圧縮手段を用いた所定の記録フォーマットから映像データを抽出復号し、Ｙ、Ｃｂ、Ｃｒコンポーネント信号として出力する。ところで映像データ再生回路２６の動作周波数は、その処理速度や構成するＬＳＩの電気的特性などの面からの制約があるものの、特別に規定されているわけではない。テレビジョン映像信号やＤＶＤ映像信号などの映像信号処理系では、一般にＩＴＵ−Ｒ勧告ＢＴ６０１に準拠したＹ、Ｃｂ、Ｃｒコンポーネント信号が多く用いられ、そのためシステムクロックを１３．５ＭＨｚのＭ／Ｎ倍の周波数にしているものも少なくないため、ここではカード再生専用のシステムクロック発生器２５の出力クロック周波数は１３５ＭＨｚとする。従って、映像データ再生回路２６の動作周波数並びに画像メモリ回路の書き込み周波数も、それに習って１３５ＭＨｚとする。このときカード用システムクロック周波数１３５ＭＨｚのビート妨害を調べてみると、図６のＣＣＫ欄の×印で示されるようにカード用システムクロックの高調波は、放送チャンネルの２４、４７チャンネルの周波数帯域と重複していることがわかる。
【００３９】
ここで、テレビジョン放送の映像信号をみてみると、図２（Ａ）および図３（Ａ）に示すように、水平走査期間は、実際に映像信号がある映像有効期間と映像信号がないブランキング期間とに分けることができる。従って、映像有効期間以外の期間のみ映像データ再生回路２６が動作するような制御を行うことにより、ディスプレイに表示されるテレビジョン放送にビート妨害を与えずにＩＣカードの再生を行うことが可能になる。
【００４０】
以下に映像有効期間以外の期間の設定とそのときの映像データ再生回路２６の動作について説明する。まず水平走査期間では、ＬＰＦ／同期分離回路４は、図２（Ｂ）１段目の水平ブランキング期間において、水平走査期間では図２（Ｂ）２段目の水平同期信号を分離抽出する。水平同期信号から、映像有効期間の期間を求めたものが図２（Ｂ）３段目の信号であり、３２＋１２８＋１１６＝２７６サンプルとする。この期間は、図２（Ａ）のＥＩＡのスタジオ規格ＲＳ−１７０Ａにおける水平ブランキング期間よりも短いが、水平ブランキング期間内にあるため特に問題はない。さらに図２（Ｂ）の２段目と３段目との信号から、選局復調回路２やＡＤ変換回路７やＬＰＦ／同期分離回路４での処理遅延時間αと選局復調回路２の受信処理ならびにバラツキ分βを考慮して求めた図２（Ｂ）４段目に示す期間は、選局復調回路２の有効映像信号に対してビート妨害を与えない期間であり、この期間を、以下、水平無映像期間と称する。続いて、垂直走査期間では、図３（Ａ）、（Ｂ）２段目の垂直同期信号を分離抽出する。垂直同期信号の前端から３Ｈ、後端から１４Ｈまでの期間は、図３（Ａ）、（Ｂ）の１段目のＥＩＡのスタジオ規格ＲＳ−１７０Ａにより垂直ブランキング期間となっているため、図３（Ａ）（Ｂ）の３段目に示す期間は、選局復調回路２の有効映像信号に対してビート妨害を与えない期間であり、この期間を以下垂直無映像期間とする。このように、ＬＰＦ／同期分離回路４からの水平同期信号と垂直同期信号から水平無映像期間と垂直無映像期間を設定するのがタイミング生成回路２２であり、その水平無映像期間と垂直無映像期間とをＣＰＵ２１に出力する。
【００４１】
ＣＰＵ２１は、水平無映像期間と垂直無映像期間とに関する信号に基づいて、カード用システムクロック発生器２５の制御を行う。すなわち、ＣＰＵ２１は、テレビジョン放送をディスプレイ上に表示している時にカード再生指示を外部から与えられた場合、ディスプレイ上のテレビジョン放送にビート妨害を与えないように映像有効期間での映像データ再生回路２６の動作を停止する手段として、水平無映像期間と垂直無映像期間とのみカード用システムクロック発生器２５のクロック出力を許可し、カード用システムクロック発生器２５はそれに従って動作する。映像データ再生回路２６は、クロック入力中は、カードスロット２４を介してＩＣカード２３から指定された位置のデータを読み出し、ＪＰＥＧ方式等のデータ圧縮手段を用いた所定の記録フォーマットから映像データを抽出復号し、Ｙ、Ｃｂ、Ｃｒコンポーネント信号として出力し、画像メモリ回路２７に書き込む。
【００４２】
クロック停止中は、停止直前の動作を記憶し、再びクロック入力が開始されると、停止直前の動作を引き続き実行する、ということにより断続的に繰り返し行い画像メモリ回路２７に蓄積する。最初に与えられたカード再生指示（例えばある１つの静止画を再生するという指示）分のデータ再生が終了し、復号データが画像メモリ回路２７に蓄積されると、ＣＰＵ２１はカード用システムクロック発生器２５および映像データ再生回路２６の動作を停止する。画像メモリ回路２７から映像データ読み出すクロックは、液晶用システムクロックであり、前述しているように液晶用システムクロックでビート妨害は発生しない。画像メモリ回路２７からはテレビジョン放送に同期するタイミングで読み出され、ＲＧＢ変換回路２８でＲＧＢ信号に変換されたあと、スケーリング回路１１で重畳される。重畳方法は例えばピクチャーインピクチャーでも良いし、アルファブレンディングのような方法でも良い。
【００４３】
以上に説明したように、本実施の形態による信号処理装置によれば、ＨＤＤに記録された映像信号をＩＣカードに予め一旦コピーしておくことにより、ＨＤＤに記録された映像を再生する際に生じるクロックの高調波妨害を、ＩＣカード再生に伴うカード用システムクロックの高調波成分に置き換え、そのときテレビジョン放送波の特定期間に断続的にＩＣカード再生を行うことができるよう構成することにより、ＩＣカード再生に伴うカード用システムクロックの高調波成分が選局復調回路に飛び込むことに起因するビート妨害を抑止することができるという利点を有する。さらに、受信しているテレビジョン放送の映像信号からその映像有効期間以外の期間を設定し、その映像有効期間以外の期間のみ第２の記憶装置からの再生処理ならびに断続的に再生した情報を結合させるためのメモリ書き込み処理を行い、選局チャンネルの映像有効期間以外の期間のみ第２の記憶装置から高調波成分が外れるクロックで第２の記憶装置から読み出した映像信号を映像に重畳することにより、上記ビート妨害を確実に抑制することができる。
以上、本実施の形態に沿って説明したが、本発明はこれらの例に限定されるものではなく、種々の変形が可能であるのは言うまでもない。
【００４４】
【発明の効果】
本発明によれば、第１の記憶装置に記録された映像信号を視聴しようとする際に、視聴を望むコンテンツを第１の記憶装置から第２の記憶装置に一旦コピーしておき、第２の記憶装置から再生を行う場合に、映像信号の帯域から高調波成分が外れるクロックでメモリから読み出した映像を出力するため、第２の記憶装置からの再生処理時にそのクロックの高調波が選局復調回路に飛び込むことで生ずる映像に対するビート妨害を確実に抑止することができ、高品位な映像を表示できる等の極めて優れた効果を奏する。
【図面の簡単な説明】
【図１】本発明の一実施の形態による映像信号処理装置の構成例を示す図である。
【図２】図１に示す装置のうちタイミング生成回路の水平期間の信号波形図である。
【図３】図１に示す装置のうちタイミング生成回路の垂直期間の信号波形図である。
【図４】図１に示す装置内の回路各部の信号波形図である。
【図５】本実施の形態による装置のスケーリングならびに倍速変換回路各部の信号波形図である。
【図６】本実施の形態による装置における選局チャンネルと高調波妨害との関係を示す図である。
【図７】従来の液晶テレビジョン受像機の一例を示す回路構成図である。
【図８】従来の他の液晶テレビジョン受像機の一例を示す回路構成図である。
【符号の説明】
１…受信アンテナ、２…選局復調回路、３…位相ロックドループ（ＰＬＬ）、４…ＬＰＦ／同期分離回路、５…位相比較／ＶＣＯ回路、６…カウンタ、７…ＡＤ変換回路、８…ＹＣ分離回路、９…色復調回路、１０…ＲＧＢ変換回路、１１…スケーリング回路、１２…倍速変換回路、１３…ＯＳＤ回路、１４…液晶用システムクロック発生器、１５…液晶用システムクロック発生器、１６…同期生成回路、１７…ディスプレイ装置、１８…ＤＡ変換回路、１９…液晶駆動回路、２０…液晶ディスプレイ、２１…ＣＰＵ、２２…タイミング生成回路、２３…ＩＣカード、２４…ハードディスクドライブ、２５…カード用システムクロック発生器、２６…映像データ再生回路、２７…画像メモリ回路、２８…ＲＧＢ変換回路、３１…液晶テレビジョン受像機、３２…液晶表示ユニット、３３…選局復調回路、３４…クロック発生回路、３５…液晶ディスプレイ、３６…ＤＡ変換回路、３７…液晶駆動回路、３８…受信アンテナ、３９…ＣＰＵ、４０…走査変換回路、４１…ＡＤ変換回路、４２…位相ロックドループ（ＰＬＬ）、４３…位相比較器、４４…低域濾波回路、４５…電圧制御発振器、４６…１／２Ｎ分周器、４７…デコーダ、４８…分周器、４９…ＩＣカード、５０…カードスロット、５１…映像データ再生回路、５２…ＲＧＢ変換回路、５３…ＤＡ変換回路、５４…カード用システムクロック発生器、５５…スイッチ回路、６１…液晶テレビジョン受像機、６２…逓倍比メモリ、６３…ＣＰＵ、６４…選局マイコン。
【図１】
2004187088.tif 000003
【図２】
2004187088.tif 000004
【図３】
2004187088.tif 000005
【図４】
2004187088.tif 000006
【図５】
2004187088.tif 000007
【図６】
2004187088.tif 000008
【図７】
2004187088.tif 000009
【図８】
2004187088.tif 000010